(57)【要約】【課題】  本発明は、災害が発生した際に、使用目的に応じたテントを迅速に設営することができるエアーテントを提供することを目的とする。【解決手段】  床シート２０と、複数のアーチ状気柱３０Ａ〜３０Ｄと、複数の梁状気柱３１Ａ〜３１Ｃ、３２Ａ〜３２Ｃ及び３３Ａ〜３３Ｃと、テント膜４０と、正面膜壁７０Ａと、背面膜壁７０Ｄと、間仕切り７０Ｂと、第１の出入口８０Ａと、第２の出入口８０Ｂと、陽圧用換気口６０Ｂと、陰圧用換気口６０Ｃと、ＨＥＰＡフィルター付送風機１００Ｂ又は１００Ｃとを備える。【選択図】  図１
2018204312.tif 000002
【特許請求の範囲】
【請求項１】
床シートと、
内部に注入された空気によって、上方に湾曲するようにして膨張することにより成形されたアーチ状気柱が、少なくとも３つ以上、前記床シート上に一定間隔毎にそれぞれ立設された複数の前記アーチ状気柱と、
内部に注入された空気によって、前記アーチ状気柱と直交する方向に棒状に膨張することにより、複数の前記アーチ状気柱のうち、隣り合う前記アーチ状気柱を連結するようにして、前記アーチ状気柱に一体成形された複数の梁状気柱と、
複数の前記アーチ状気柱及び前記梁状気柱を覆うようにして、複数の前記アーチ状気柱及び前記梁状気柱上に設けられたテント膜と、
複数の前記アーチ状気柱のうち、前記アーチ状気柱の配置方向において、両端側に位置する前記アーチ状気柱の下側であって、かつ前記床シート上に、前記アーチ状気柱の形状に対応する形状を有するようにして、それぞれ立設された半円状の正面膜壁及び背面膜壁と、
前記正面膜壁及び前記背面膜壁が立設された前記アーチ状気柱を除く前記アーチ状気柱のうち、いずれか１つの前記アーチ状気柱の下側であって、かつ前記床シート上に着脱可能又は開閉可能に設けられ、前記アーチ状気柱の形状に対応する形状を有するようにして、立設された半円状の間仕切りと、
前記正面膜壁に、開閉可能に設けられた第１の出入口と、
前記間仕切りに、開閉可能に設けられた第２の出入口と、
前記間仕切りに、開閉可能に設けられた陽圧用換気口と、
前記テント膜のうち、前記間仕切りと前記背面膜壁の間に位置する領域に、開閉可能に設けられた陰圧用換気口と
を備えることを特徴とするエアーテント。
【請求項２】
前記間仕切りに設けられた前記陽圧用換気口、又は前記テント膜に設けられた前記陰圧用換気口のいずれか一方に接続されたＨＥＰＡフィルター付送風機
をさらに備えることを特徴とする請求項１に記載のエアーテント。
【発明の詳細な説明】
【技術分野】
【０００１】
本発明は、エアーテントに関する。
【背景技術】
【０００２】
従来、災害が発生した際に、一時的に使用するために設営されるテントとして、種々のエアーテントが開発及び提案されている（例えば、特許文献１参照）。
【先行技術文献】
【特許文献】
【０００３】
【特許文献１】特開２００５−２６４５号公報
【発明の概要】
【発明が解決しようとする課題】
【０００４】
本発明は、災害が発生した際に、使用目的に応じたテントを迅速に設営することができるエアーテントを提供することを目的とする。
【課題を解決するための手段】
【０００５】
本発明の一態様によるエアーテントは、
床シートと、
内部に注入された空気によって、上方に湾曲するようにして膨張することにより成形されたアーチ状気柱が、少なくとも３つ以上、前記床シート上に一定間隔毎にそれぞれ立設された複数の前記アーチ状気柱と、
内部に注入された空気によって、前記アーチ状気柱と直交する方向に棒状に膨張することにより、複数の前記アーチ状気柱のうち、隣り合う前記アーチ状気柱を連結するようにして、前記アーチ状気柱に一体成形された複数の梁状気柱と、
複数の前記アーチ状気柱及び前記梁状気柱を覆うようにして、複数の前記アーチ状気柱及び前記梁状気柱上に設けられたテント膜と、
複数の前記アーチ状気柱のうち、前記アーチ状気柱の配置方向において、両端側に位置する前記アーチ状気柱の下側であって、かつ前記床シート上に、前記アーチ状気柱の形状に対応する形状を有するようにして、それぞれ立設された半円状の正面膜壁及び背面膜壁と、
前記正面膜壁及び前記背面膜壁が立設された前記アーチ状気柱を除く前記アーチ状気柱のうち、いずれか１つの前記アーチ状気柱の下側であって、かつ前記床シート上に着脱可能又は開閉可能に設けられ、前記アーチ状気柱の形状に対応する形状を有するようにして、立設された半円状の間仕切りと、
前記正面膜壁に、開閉可能に設けられた第１の出入口と、
前記間仕切りに、開閉可能に設けられた第２の出入口と、
前記間仕切りに、開閉可能に設けられた陽圧用換気口と、
前記テント膜のうち、前記間仕切りと前記背面膜壁の間に位置する領域に、開閉可能に設けられた陰圧用換気口と
を備える。
【発明の効果】
【０００６】
本発明のエアーテントによれば、災害が発生した際に、使用目的に応じたテントを迅速に設営することができる。
【図面の簡単な説明】
【０００７】
【図１】本発明の実施の形態によるエアーテントの構成を示す斜視図及び分解斜視図である。
【図２】本発明の実施の形態によるエアーテントの使用例を示す断面図である。
【発明を実施するための形態】
【０００８】
以下、本発明の実施の形態について図面を参照して説明する。
【０００９】
図１は、本発明の実施の形態によるエアーテント１０の構成を示す。このうち、図１（ａ）は、エアーテント１０の外観斜視図を示し、図（ｂ）は、エアーテント１０を構成する気柱３０Ａ〜３０Ｄ、３１Ａ〜３１Ｃ、３２Ａ〜３２Ｃ及び３３Ａ〜３３Ｃの構造を表した斜視図を示し、図（ｃ）は、梁状気柱３１Ａ〜３１Ｃ、３２Ａ〜３２Ｃ及び３３Ａ〜３３Ｃを除いた場合のエアーテント１０の分解斜視図を示す。
【００１０】
エアーテント１０は、テント膜４０を支持するための手段として、アーチ状気柱３０Ａ〜３０Ｄと、梁状気柱３１Ａ〜３１Ｃ、３２Ａ〜３２Ｃ及び３３Ａ〜３３Ｃとを使用する。アーチ状気柱３０Ａ〜３０Ｄは、内部に空気が注入されると、上方に湾曲するようにして膨張することにより、アーチ状に成形される。梁状気柱３１Ａ〜３１Ｃ、３２Ａ〜３２Ｃ及び３３Ａ〜３３Ｃは、内部に空気が注入されると、アーチ状気柱３０Ａ〜３０Ｄと直交する方向に棒状に膨張することにより、梁状に成形される。
【００１１】
より具体的には、地面に載置された長方形状の床シート２０上には、内部に空気を注入することによって、上方に湾曲するように成形された複数のアーチ状気柱３０Ａ〜３０Ｄが、床シート２０の長手方向に沿って、所定間隔毎に立設されている。
【００１２】
隣り合うアーチ状気柱３０Ａ及び３０Ｂは、梁状気柱３１Ａ、３２Ａ及び３３Ａによって連結され、隣り合うアーチ状気柱３０Ｂ及び３０Ｃは、梁状気柱３１Ｂ、３２Ｂ及び３３Ｂによって連結され、隣り合うアーチ状気柱３０Ｃ及び３０Ｄは、梁状気柱３１Ｃ、３２Ｃ及び３３Ｃによって連結されている。
【００１３】
梁状気柱３１Ａ〜３１Ｃは、アーチ状気柱３０Ａ〜３０Ｄの上端部分に接続するようにしてアーチ状気柱３０Ａ〜３０Ｄに一体成形され、梁状気柱３２Ａ〜３２Ｃは、アーチ状気柱３０Ａ〜３０Ｄの右側中央部分に接続するようにしてアーチ状気柱３０Ａ〜３０Ｄに一体成形され、梁状気柱３３Ａ〜３３Ｃは、アーチ状気柱３０Ａ〜３０Ｄの左側中央部分に接続するようにしてアーチ状気柱３０Ａ〜３０Ｄに一体成形されている。
【００１４】
エアーテント１０は、アーチ状気柱３０Ａ〜３０Ｄ並びに梁状気柱３１Ａ〜３１Ｃ、３２Ａ〜３２Ｃ及び３３Ａ〜３３Ｃの外側表面を覆うようにして、これらアーチ状気柱３０Ａ〜３０Ｄ並びに梁状気柱３１Ａ〜３１Ｃ、３２Ａ〜３２Ｃ及び３３Ａ〜３３Ｃ上にテント膜４０を被せることにより構成される。
【００１５】
テント膜４０には、図示しないファスナーやマジックベルトなどの開閉手段によって、窓５０Ａ及び５０Ｂ並びに陰圧用換気口６０Ｃが、開閉可能に設けられている。このうち、窓５０Ａはアーチ状気柱３０Ａとアーチ状気柱３０Ｂの間に設けられ、窓５０Ｂはアーチ状気柱３０Ｂとアーチ状気柱３０Ｃの間に設けられ、陰圧用換気口６０Ｃはアーチ状気柱３０Ｃとアーチ状気柱３０Ｄの間に設けられている。
【００１６】
ところで、アーチ状気柱３０Ａの下側であって、かつ床シート２０上には、アーチ状気柱３０Ａの形状に対応するように形成された半円状の正面膜壁７０Ａが立設されている。この正面膜壁７０Ａには、図示しないファスナーやマジックベルトなどの開閉手段によって、第１の出入口８０Ａが開閉可能に設けられている。
【００１７】
また、アーチ状気柱３０Ｄの下側であって、かつ床シート２０上には、アーチ状気柱３０Ｄの形状に対応するように形成された半円状の背面膜壁７０Ｄが立設されている。
【００１８】
さらに、アーチ状気柱３０Ｂの下側であって、かつ床シート２０上には、アーチ状気柱３０Ｂの形状に対応するように形成された半円状の間仕切り７０Ｂが立設されている。この間仕切り７０Ｂは、図示しないファスナーやマジックベルトなどの開閉手段によって、アーチ状気柱３０Ｂ及び床シート２０に着脱可能に設けられている。なお、この場合、間仕切り７０Ｂを取り付けた状態で巻き上げることにより、開閉可能に設けるようにしても良い。
【００１９】
間仕切り７０Ｂには、図示しないファスナーやマジックベルトなどの開閉手段によって、第２の出入口８０Ｂ及び陽圧用換気口６０Ｂが、開閉可能に設けられている。
【００２０】
なお、正面膜壁７０Ａ及び背面膜壁７０Ｄ並びにテント膜４０は、図示しないファスナーやマジックベルトなどの開閉手段によって、床シート２０と開閉可能に接続されている。
【００２１】
従って、本実施の形態の場合、アーチ状気柱３０Ｂから間仕切り７０Ｂを取り外して使用すれば、地震や津波などの災害が発生した際に、例えば司令部やミーティングスペースなどの防災用エアーテントとして、エアーテント１０を使用することができる。
【００２２】
これに対して、アーチ状気柱３０Ｂに間仕切り７０Ｂを取り付けることにより、エアーテント１０の内部を、医療行為を行うための本室９０Ｂと、当該本室９０Ｂの気圧を調整するための前室９０Ａとに分割すれば、医療行為を行う医療用エアーテントとして、エアーテント１０を使用することができる。
【００２３】
ここで、アーチ状気柱３０Ｂに間仕切り７０Ｂを取り付け、エアーテント１０を医療用エアーテントとして使用する場合について、図２を用いて説明する。なお、図２は、図１（ａ）中のＡ−Ａ’線に沿って切断した場合の断面図を示し、このうち図２（ａ）は、本室９０Ｂを陽圧状態にする場合の構成を示し、図２（ｂ）は、本室９０Ｂを陰圧状態にする場合の構成を示す。
【００２４】
図２（ａ）に示すように、本室９０Ｂを陽圧状態にする場合には、陽圧用換気口６０Ｂに接続するようにして、前室９０Ａ内にＨＥＰＡ（High Efficiency Particulate Air Filter  ）フィルター付送風機１００Ｂを設置し、前室９０Ａから陽圧用換気口６０Ｂを介して本室９０Ｂに空気を供給する。すなわち、ＨＥＰＡフィルター付送風機１００Ｂは、前室９０Ａ内の空気を給気し、これを本室９０Ｂに排気することにより、換気を行う。
【００２５】
この場合、ＨＥＰＡフィルター付送風機１００Ｂを用いて、菌やウイルスが除去された空気を本室９０Ｂに供給することにより、例えば手術などを行うための手術室（クリーンルーム）として、本室９０Ｂを使用することができる。
【００２６】
その際、窓５０Ａ及び５０Ｂ並びに陰圧用換気口６０Ｃを閉状態にし、第１の出入口８０Ａ及び第２の出入口８０Ｂを、同時には開状態にしないようにすることにより、本室９０Ｂを陽圧状態に安定させることができる。
【００２７】
なお、本室９０Ｂを所望の陽圧状態に維持するためには、前室９０Ａの床面積（又は体積）を、本室９０Ｂの床面積（又は体積）の１／３以下にすることが望ましく、また、ＨＥＰＡフィルター付送風機１００Ｂの換気回数を、１時間あたり１５回以上に設定することが望ましい。
【００２８】
これに対して、図２（ｂ）に示すように、本室９０Ｂを陰圧状態にする場合には、陰圧用換気口６０Ｃに接続するようにして、本室９０Ｂ内にＨＥＰＡフィルター付送風機１００Ｃを設置し、本室９０Ｂから陰圧用換気口６０Ｃを介して外部に空気を排出する。すなわち、ＨＥＰＡフィルター付送風機１００Ｃは、本室９０Ｂ内の空気を給気し、これを外部に排気することにより、換気を行う。
【００２９】
この場合、ＨＥＰＡフィルター付送風機１００Ｃを用いて、菌やウイルスが除去された空気を外部に排出することにより、例えば感染症が流行した場合、感染源の拡散を防止するため、患者を隔離しながら診察する隔離診察室として、本室９０Ｂを使用することができる。
【００３０】
その際、窓５０Ａ及び５０Ｂ並びに陽圧用換気口６０Ｂを閉状態にし、第１の出入口８０Ａ及び第２の出入口８０Ｂを、同時には開状態にしないようにすることにより、本室９０Ｂを陰圧状態に安定させることができる。
【００３１】
なお、本室９０Ｂを所望の陰圧状態に維持するためには、前室９０Ａの床面積（又は体積）を、本室９０Ｂの床面積（又は体積）の１／３以下にすることが望ましく、また、ＨＥＰＡフィルター付送風機１００Ｃの換気回数を、１時間あたり１２回以上に設定し、かつ本室９０Ｂの気圧を陰圧２．５Ｐａ以上に設定することが望ましい。
【００３２】
このように本実施の形態によれば、災害が発生した際に、使用目的に応じたエアーテント１０を迅速に設営することができる。
【００３３】
すなわち、本実施の形態の場合、エアーテント１０は、床シート２０と、内部に注入された空気によって、上方に湾曲するようにして膨張することにより成形されたアーチ状気柱３０Ａ〜３０Ｄが、少なくとも３つ以上、床シート２０上に一定間隔毎にそれぞれ立設された複数のアーチ状気柱３０Ａ〜３０Ｄと、内部に注入された空気によって、アーチ状気柱３０Ａ〜３０Ｄと直交する方向に棒状に膨張することにより、複数のアーチ状気柱３０Ａ〜３０Ｄのうち、隣り合うアーチ状気柱３０Ａ及び３０Ｂ、３０Ｂ及び３０Ｃ並びに３０Ｃ及び３０Ｄを連結するようにして、アーチ状気柱３０Ａ〜３０Ｄに一体成形された複数の梁状気柱３１Ａ〜３１Ｃ、３２Ａ〜３２Ｃ及び３３Ａ〜３３Ｃと、複数のアーチ状気柱３０Ａ〜３０Ｄ並びに梁状気柱３１Ａ〜３１Ｃ、３２Ａ〜３２Ｃ及び３３Ａ〜３３Ｃを覆うようにして、複数のアーチ状気柱３０Ａ〜３０Ｄ並びに梁状気柱３１Ａ〜３１Ｃ、３２Ａ〜３２Ｃ及び３３Ａ〜３３Ｃ上に設けられたテント膜４０と、複数のアーチ状気柱３０Ａ〜３０Ｄのうち、アーチ状気柱３０Ａ〜３０Ｄの配置方向において、両端側に位置するアーチ状気柱３０Ａ及び３０Ｄの下側であって、かつ床シート２０上に、アーチ状気柱３０Ａ及び３０Ｄの形状に対応する形状を有するようにして、それぞれ立設された半円状の正面膜壁７０Ａ及び背面膜壁７０Ｄと、正面膜壁７０Ａ及び背面膜壁７０Ｄが立設されたアーチ状気柱３０Ａ及び３０Ｄを除くアーチ状気柱３０Ｂ及び３０Ｃのうち、いずれか１つのアーチ状気柱３０Ｂの下側であって、かつ床シート２０上に着脱可能又は開閉可能に設けられ、アーチ状気柱３０Ｂの形状に対応する形状を有するようにして、立設された半円状の間仕切り７０Ｂと、正面膜壁７０Ａに、開閉可能に設けられた第１の出入口８０Ａと、間仕切り７０Ｂに、開閉可能に設けられた第２の出入口８０Ｂと、間仕切り７０Ｂに、開閉可能に設けられた陽圧用換気口６０Ｂと、テント膜４０のうち、間仕切り７０Ｂと背面膜壁７０Ｄの間に位置する領域に、開閉可能に設けられた陰圧用換気口６０Ｃと、
間仕切り７０Ｂに設けられた陽圧用換気口６０Ｂ、又はテント膜４０に設けられた陰圧用換気口６０Ｃのいずれか一方に接続されたＨＥＰＡフィルター付送風機１００Ｂ又は１００Ｃとを備える。
【００３４】
また、本実施の形態の場合、ＨＥＰＡフィルター付送風機１００Ｂ又は１００Ｃは、陽圧用換気口６０Ｂに接続された場合には、換気回数が１時間あたり１５回以上になるように設定されるのに対して、陰圧用換気口６０Ｃに接続された場合には、換気回数が１時間あたり１２回以上になるように設定されている。
【００３５】
なお、上述の実施の形態においては、テント膜４０に対して正面膜壁７０Ａ及び背面膜壁７０Ｄを別途設ける場合について述べたが、本発明はこれに限らず、正面膜壁７０Ａ及び背面膜壁７０Ｄがテント膜４０に一体成形された、一体型のテント膜を適用するようにしても良い。
【符号の説明】
【００３６】
１０  エアーテント
２０  床シート
３０Ａ〜３０Ｄ  アーチ状気柱
４０  テント膜
６０Ｂ  陽圧用換気口
６０Ｃ  陰圧用換気口
７０Ａ  正面膜壁
７０Ｂ  間仕切り
７０Ｄ  背面膜壁
８０Ａ  第１の出入口
８０Ｂ  第２の出入口
【図１】
2018204312.tif 000003
【図２】
2018204312.tif 000004